(57)【要約】【目的】本発明は、複数人が歌唱するカラオケシステムおよびカラオケプログラムに関し、カラオケでマイクを握ったりなどして歌唱した人の生体認証を検出し、当該生体認証に対応づけて曲コードおよび時間を収集して歌唱履歴データとして記録し、精算時に精算対象の歌唱履歴データ中の顧客毎の生体認証をもとに集計した曲数、更に時間数に応じた割り勘計算を行い、利用の実状に応じた割り勘を実現することを目的とする。【構成】  選択された曲のコードを検出する手段と、選択された曲の音声が送出されているときに、歌唱している顧客の生体認証を検出する手段と、検出された生体認証に対応づけて前記検出した曲コードを対応づけて記録して収集する手段とを備える。【選択図】        図１
2008020752.tif 000002
【特許請求の範囲】
【請求項１】
複数人が歌唱するカラオケシステムにおいて、
選択された曲のコードを検出する手段と、
前記選択された曲の音声が送出されているときに、歌唱している顧客の生体認証を検出する手段と、
前記検出された生体認証に対応づけて前記検出した曲コードを対応づけて記録して収集する手段と
を備えたことを特徴とするカラオケシステム。
【請求項２】
前記選択された曲の音声が送出されているときに、歌唱している顧客の生体認証を検出すると共に、更に、当該顧客の歌唱している時間あるいは曲の全時間に対する割合を検出して記録することを特徴とする請求項１記載のカラオケシステム。
【請求項３】
複数人が歌唱するためのカラオケプログラムにおいて、
コンピュータに、
選択された曲のコードを検出する手段と、
前記選択された曲の音声が送出されているときに、歌唱している顧客の生体認証を検出する手段と、
前記検出された生体認証に対応づけて前記検出した曲コードを対応づけて記録して収集する手段と
として機能させるためのカラオケプログラム。
【発明の詳細な説明】
【技術分野】
【０００１】
本発明は、複数人が歌唱するカラオケシステムおよびカラオケプログラムに関するものである。
【背景技術】
【０００２】
従来、カラオケは、ユーザが個室に備えられたカラオケシステムを操作し、所望の曲を選択してその曲に合わせてマイクに向かって歌唱するものであった。料金は、個室の使用時間に応じた料金であり、複数人で使ったときに頭割りした料金をそれぞれ支払っていた。
【０００３】
また、顧客が個別にリモコン送信器を所持し、リモコン送信器で曲を選択した場合、当該選択した曲の符号と当該リモコン送信器の識別符号とを対応づけて記録簿に保存し、これを集計して各リモコン送信器毎の選曲した曲数を集計する技術がある（特許文献１）  
【特許文献１】特開平１０−０５５１８４号公報
【発明の開示】
【発明が解決しようとする課題】
【０００４】
上述したように、従来の前者の技術では、複数人がカラオケで歌唱した場合に、頭割りで料金を決めていたため、複数人のグループの中にはたくさん歌う人や、ほとんど歌わない人などがあり、人によって利用の度合いが異なり、単純な頭割りで料金を算出すると、利用の実状に応じた割り勘にならないという問題があった。
【０００５】
また、上述した従来の後者の技術では、顧客が所持するリモコン送信器で選択した曲のコードと当該リモコン送信器のコードとを対応づけて記録し、リモコン送信器のコード毎の選曲した数をもとに料金を算出してしまい、マイクを握って実際に歌った人の実状に応じた割り勘にならないという問題があった。
【課題を解決するための手段】
【０００６】
本発明は、これらの問題を解決するため、カラオケでマイクを握ったりなどして歌唱した人の生体認証を検出し、当該生体認証に対応づけて曲コードおよび時間を収集して歌唱履歴データとして記録し、精算時に精算対象の歌唱履歴データ中の顧客毎の生体認証をもとに集計した曲数、更に時間数に応じた割り勘計算を行うようにしている。
【発明の効果】
【０００７】
本発明は、カラオケでマイクを握ったりなどして歌唱した人の生体認証を検出し、当該生体認証に対応づけて曲コードおよび時間を収集して歌唱履歴データとして記録し、精算時に精算対象の歌唱履歴データ中の顧客毎の生体認証をもとに集計した曲数、更に時間数に応じた割り勘計算を行うことにより、利用の実状に応じた割り勘を実現することが可能となる。
【発明を実施するための最良の形態】
【０００８】
本発明は、カラオケでマイクを握ったりなどして歌唱した人の生体認証を検出し、当該生体認証に対応づけて曲コードおよび時間を収集して歌唱履歴データとして記録し、精算時に精算対象の歌唱履歴データ中の顧客毎の生体認証をもとに集計した曲数、更に時間数に応じた割り勘計算を行い、利用の実状に応じた割り勘を実現した。
【実施例１】
【０００９】
図１は、本発明のシステム構成図を示す。
図１において、情報収集システム１は、図示外のカラオケシステムから情報を収集するものであって、ここでは、曲データ１１、曲データ選択手段１２、生体情報受信手段１３、歌唱時間算出手段１４、記録手段１５、個室ＩＤ１６、および歌唱履歴データテーブル１７などから構成されるものである。
【００１０】
曲データ１１は、図示外の公知のカラオケシステムが、顧客５がリモコン３を操作して曲名などを選択したときに当該選択された曲名などの曲データを取り出すための多数の曲データを格納したものである。
【００１１】
曲データ選択手段１２は、顧客５がリモコン３を操作して曲名などを選択したときに、
当該曲名などの曲データを曲データ１１から取り出したり、更に、選択された曲名などのコードを記録手段１５に通知して歌唱履歴データテーブル１７に蓄積したりなどするものである。
【００１２】
生体情報受信手段１３は、顧客５がマイク４を握ったときなどに当該マイク４に設けた生体認証検出器（例えば指紋検出器、静脈検出器など）によって検出された当該顧客の生体情報を無線で受信したり、更に、受信した顧客の生体情報を記録手段１５に通知して歌唱履歴データテーブル１７に蓄積したりなどするものである。
【００１３】
歌唱時間算出手段１４は、顧客５がマイク４に向けて歌唱した時間（曲の全体の時間のうちの当該顧客５が歌唱した時間あるいは割合）を算出したり、算出した歌唱した時間、割合を記録手段１５に通知して歌唱履歴データテーブル１７に蓄積したりなどするものである。
【００１４】
記録手段１５は、曲データ選択手段１２、生体情報受信手段１３、歌唱時間算出手段１４から通知を受けた、曲データのコード、生体情報、歌唱時間（割合）を対応づけて歌唱履歴データテーブル１７に、個室ＩＤ１６毎に蓄積したりなどするものである。
【００１５】
個室ＩＤ１６は、顧客５がカラオケする個室に付与されたＩＤである。
歌唱履歴データテーブル１７は、個室ＩＤ毎に設けたものであって、顧客５が歌唱したときに、当該顧客５の生体情報（生体認証）に対応づけて曲のコード、時間（あるいは割合）を蓄積するものである（図２の（ａ）参照）。
【００１６】
リモコン３は、顧客５が操作し、希望の曲を選択したり、選択した曲の再生を開始したり、停止させたりなどの各種操作を行なうためのリモコンである。
【００１７】
マイク４は、顧客５が手に持ったりしてカラオケの曲に合わせて歌唱するときにその音声を電気信号に変換して当該カラオケの曲と一緒にスピーカから出力するためのものである。マイク４には、ここでは、顧客５が手に持ったときに当該顧客５の生体情報（指紋、静脈など）を検出する検出器を取り付け、検出した生体情報を生体情報受信手段１３に向けて無線で送信したりなどするものである。
【００１８】
顧客５は、マイク４を手に持ったり、リモコン３を操作して曲を選択したりなどし、図示外の公知のカラオケシステムを楽しむ１人あるいは複数人の顧客である。
【００１９】
精算システム２は、情報収集システム１が顧客５の歌唱したときの当該顧客５の生体情報、選択した曲のコード、時間などを蓄積した歌唱履歴データテーブル１７から該当するものを抽出し、精算する（実状に応じた割り勘計算して料金を精算する）ものであって、ここでは、個室別歌唱履歴データ抽出手段２１、歌唱履歴データテーブル２２、精算手段２３、歌唱履歴データ集計テーブル２４、精算テーブル２５、料金明細書２６、利用料割り勘明細書２７などから構成されるものである。
【００２０】
個室別歌唱履歴データ抽出手段２１は、精算時に、顧客５が使用した個室別の、歌唱履歴データを抽出するものである。
【００２１】
歌唱履歴データテーブル２２は、精算時に、個室別歌唱履歴データ抽出手段２１によって歌唱履歴データテーブル１７から顧客が使用した個室のものを全て抽出した歌唱履歴データを格納したものである。
【００２２】
精算手段２３は、歌唱履歴データテーブル２２をもとに精算するものであって、歌唱履歴データ集計テーブル１４、精算テーブル２５を作成したり、料金明細書２６、利用料割り勘明細書２７を計算して印字したりなどするものである。
【００２３】
歌唱履歴データ集計テーブル２４は、精算時に、精算手段２３が歌唱履歴データテーブル２２をもとに、個室コード毎に図示の下記の情報を対応づけて計算した結果を格納するものである（図３の（ｂ）参照）。
【００２４】
・個室コード：
・個人識別：
・歌唱曲数：
・比率：
・割り勘利用料：
・その他：
精算テーブル２５は、精算時に、精算手段２３が歌唱履歴データテーブル２２をもとに、個室コード毎に図示の下記の情報を対応づけて計算した結果を格納するものである（図３の（ｃ）参照）。
【００２５】
・個室コード：
・人数：
・時間：
・歌唱曲数：
・基本料金：
・その他：
料金明細書２６は、顧客全体の利用明細書であって、ここでは、図示の下記の情報を対応づけて印字したレシートである。
【００２６】
・個室Ｎｏ：
・人数：
・時間：
・歌唱曲数：
・基本料金：
・その他：
ここで、個室Ｎｏは、顧客５がカラオケに利用した個室の番号（ＩＤ）である。人数はカラオケを利用した顧客の人数である。時間は個室を利用した時間である。歌唱曲数はカラオケで選択して歌唱した曲数である。基本料金は個室を利用した時間に対応する基本料金（ここでは、１時間当り５００円であり、４時間利用したので、基本料金が２０００円）である。
【００２７】
利用料割り勘明細書２７は、料金明細書２６に印字された全顧客５の料金に対する、各顧客毎の実状に応じた割り勘料金を印字した明細書であって、各顧客５が歌唱したときに検出した当該顧客５の生体認証に対応づけて曲のコード、歌唱時間を歌唱履歴データテーブル１７に蓄積し、精算時に当該個室の顧客毎に料金を歌唱時間に応じて割り勘し、印字したものであり（図２の（ｂ）参照）、図示の下記の情報を対応づけて印字したものである。
【００２８】
・個室Ｎｏ  Ａー１（ｔｏｔａｌ  １６曲）：
・お客さま０１  ８３３円（２．５曲）：
・北国の春（１００％）：
・リンゴ追分（１００％）：
・お祭りマンボ（５０％）：
・お客さま０２：  ４００円（１．２曲）：
・イルカに乗った少年（２０％）：
・ひまわり娘（１００％）：
・・・  
ここで、「個室Ｎｏ  Ａー１（ｔｏｔａｌ  １６曲）」は、個室Ｎｏが「Ａ−１」であり、全体の歌唱曲数が１６曲であることを表す。「お客さま０１  ８３３円（２．５曲）」は、歌唱した複数人のうちの「お客さま０１」は、割り勘料金が８３３円であり、２．５曲相当を歌唱したことを表す。「北国の春（１００％）」、「リンゴ追分（１００％）」、「お祭りマンボ（５０％）」は、お客さま０１が歌唱した詳細であって、「北国の春」、「リンゴ追分」は１００％（１人で全部を歌唱）を表し、「お祭りマンボ（５０％）」は５０％（当該曲の半分（例えば２人で歌唱して当該曲の半分））を表す。
【００２９】
図２は、本発明のテーブル例を示す。
図２の（ａ）は、歌唱履歴データテーブル例を示す。図示の歌唱履歴データテーブル１７は、利用個室毎に、顧客に対応づけて曲コード、時間（割合）を登録して管理するものであって、ここでは、図示の下記の情報を対応づけて登録して管理するものである。
【００３０】
・個室コード：
・曲コード：
・曲の歌唱時間（曲の全体の歌唱時間）：
・顧客識別（生体情報、生体認証など）：
・顧客の歌唱時間：
・曲の歌唱時間に対する実歌唱比率：
・その他：
ここで、「個室コード」は顧客がカラオケに利用した個室のコードである。「曲コード」は顧客がリモコン３を操作し、選択した曲の曲コードである。「曲の歌唱時間（曲の全体の歌唱時間）」は、選択された曲の全体の歌唱時間である。「顧客識別（生体情報、生体認証）」は、顧客５がマイク４を握ったときの当該顧客５の生体情報（指紋、静脈など）を検出した生体情報である。「顧客の歌唱時間」は顧客が実際に歌唱した時間（例えば顧客がマイク４を握って生体情報が検出されて歌唱した時間）である。「曲の歌唱時間に対する実歌唱比率」は、顧客５が実際に歌唱した時間について、当該曲の全時間に対する比率である。
【００３１】
また、図示の歌唱履歴データテーブル１７は、本実施形態の１例であって、本構成（個室コードのフィールドを設ける）に代えて、個室ごとにテーブルを生成しても良い。
【００３２】
図２の（ｂ）は、歌唱履歴データ集計テーブル例を示す。歌唱履歴データ集計テーブル２４は、個室毎に集計した歌唱履歴データであって、ここでは、図示の下記の情報を対応づけて集計して登録したものである。
【００３３】
・個室コード：
・個人識別：
・概算歌唱曲数：
・歌唱比率：
・割り勘料金：
・その他：
ここで、「個室コード」は顧客がカラオケに利用した個室のコードである。「個人識別」は、顧客の生体情報で識別する個人識別である。「概算歌唱曲数」は、顧客毎に歌唱した曲数（１つの曲を２人で歌唱したときは当該１つの曲の歌唱時間で按分した曲数０．５）の総和である。「歌唱比率」は、全体を１００％としたときの、概算歌唱曲数に対応した比率である。「割り勘料金」は、全体の利用料金に、歌唱比率を乗算した割り勘料金である。
【００３４】
図２の（ｃ）は、精算テーブル例を示す。精算テーブル２５は、個室コード毎の精算情報を計算して登録したものであって、ここでは、図示の下記の情報を対応づけて登録して管理するものである。
【００３５】
・日付：
・個室コード：
・人数：
・時間：
・歌唱曲数：
・基本料金：
・その他：
ここで、「日付」は顧客がカラオケを利用した日付である。「個室コード」は顧客が利用した個室の番号である。「人数」、「時間」、「歌唱曲数」、「基本料金」は、顧客の人数、利用した時間、歌唱した総曲数、基本料金である。
【００３６】
次に、図３のフローチャートの順番に従い、図１の構成の動作を詳細に説明する。
図３の（ａ）は、カラオケ利用時のフローチャートを示す。
【００３７】
図３の（ａ）において、Ｓ１は、演奏スタート時等に曲情報を取得する。これは、図１の顧客５がリモコン３を操作し、曲名（曲番号）を選択し、演奏スタートボタンを押下したときに、曲データ選択手段１２が当該選択した曲コード、歌唱時間（当該曲の全体の歌唱時間）などの曲情報を取得し、記録手段１５が一時的に保持する。
【００３８】
Ｓ２は、顧客歌唱時の個人識別を取得する。これは、Ｓ１で演奏スタートした後、図１の顧客５がマイク４を持って歌唱したときに、当該マイク４に設けた生体認証器（例えば指紋検出器、静脈検出器など）で当該顧客の生体情報を検出して無線で送信し、生体情報受信手段１３が無線で送信された生体情報を受信し、記録手段１５に通知して一時的に保持する。
【００３９】
Ｓ３は、顧客歌唱時の歌唱時間（割合）を算出する。これは、Ｓ２で顧客歌唱時の個人識別を取得した時間（当該個人識別を取得した時から当該歌唱の終了までの時間または、当該曲の全時間に対する割合）を算出する。これにより、顧客が最初から歌唱したときは時間が当該曲の全時間（あるいは割合が１００％）と算出し、顧客が中間から歌唱したときは当該曲の半分の時間（あるいは割合が５０％）と算出する。
【００４０】
Ｓ４は、演奏終了／キャンセル時に歌唱履歴データを出力する。例えば
・顧客識別：０１
・曲コード：ａ００９
・時間（割合）：５ｍ３０ｓ（１００％）
と歌唱履歴データを図１の歌唱理連データテーブル１７に出力（格納）する。例えば既述した図２の（ａ）の歌唱履歴データテーブル１７の１行目のエントリのように格納する（個室コード、顧客識別コード、曲コード、顧客歌唱時間、実歌唱比率などを格納する）。
【００４１】
以上によって、図１の構成のもとで、顧客５がリモコン３を操作し、曲を選択して演奏を開始させると、演奏開始時に曲コードを取得すると共にマイク４を所持している顧客５の生体情報（指紋、静脈など）を検出し、検出した顧客５の生体情報毎に曲コード、歌唱時間（割合）を取得して保持し、演奏終了時あるいはキャンセル時に保持している顧客５の生体情報毎に曲コード、歌唱時間（割合）を歌唱履歴データに設定し、歌唱履歴データテーブル１７（図２の（ａ）参照）に、個室毎に対応づけて蓄積することが可能となる。
【００４２】
図３の（ｂ）は、精算時のフローチャートを示す。
図３の（ｂ）において、Ｓ１１は、精算対象個室の歌唱履歴データを取り込む。これは、顧客５の精算時に、使用した個室の番号の歌唱履歴データを、歌唱履歴データテーブル１７から抽出する。例えば図２の（ａ）の歌唱履歴データテーブル１７から顧客５の使用した個室番号（個室コード）”Ａ−１”を持つ全てのエントリの歌唱履歴データを取り込む。
【００４３】
Ｓ１２は、顧客別に歌唱実績（曲数、割合）を集計する。これは、Ｓ１１で抽出した顧客が利用した個室の歌唱履歴データについて、顧客別に歌唱実績として、曲数、割合を集計する。
【００４４】
Ｓ１３は、トータルの歌唱曲数を集計する。これは、Ｓ１２で顧客別の歌唱実績（曲数、割合）をもとに、トータル（全体）の歌唱曲数を集計する。
【００４５】
Ｓ１４は、顧客別歌唱曲数の比率を計算する。これは、顧客別の歌唱曲数について、１人で歌唱したときは１００％、２人で歌唱したときは５０％というように、曲を複数人で歌唱したときは時間で按分して各顧客の比率を計算する（曲毎に全顧客の比率を合わせると１００％となるように計算する）。計算結果は、図２の（ｂ）の歌唱履歴データ集計テーブル２４に示すように、個室コード毎に、各顧客（個人識別毎）に計算結果（概算歌唱曲数、歌唱比率）を記録する。
【００４６】
Ｓ１５は、顧客別の割り勘料金を計算する。これは、Ｓ１４で計算した顧客別の歌唱曲の比率をもとに、割り勘料金を計算する。例えば全顧客の利用料金（例えば基本料金１時間当り５００円で４時間利用したときは２０００円）を各顧客の歌唱曲数の比率で按分した割り勘料金を計算する。計算結果は、図２の（ｃ）の精算テーブル２５に示すように、個室コード毎に、日付、人数、時間、歌唱曲数、基本料金などを記録する。
【００４７】
以上によって、図３の（ａ）のフローチャートに従い図２の（ａ）の歌唱履歴データテーブル１７に蓄積した歌唱履歴データ（個室毎に、顧客が曲を選択して演奏開始後に、顧客の生体情報を検出して当該生体情報（顧客）に対応づけて曲コード、歌唱時間（割合）を蓄積した歌唱履歴データ）を精算時に読み出し、当該読み出した歌唱履歴データをもとに、顧客毎の歌唱曲数（比率）を算出して全体の利用料金を割り勘計算し（図２の（ｂ）の歌唱履歴データ集計テーブル２４、図２の（ｃ）の精算テーブル２５参照）、既述した図１の利用料割り勘明細書２７に示すように、顧客毎の割り勘料金を印字することにより、顧客毎に歌唱した実状に合わせた割り勘料金を提示することが可能となる。
【００４８】
（付記１）
複数人が歌唱するカラオケシステムにおいて、
選択された曲のコードを検出する手段と、
前記選択された曲の音声が送出されているときに、歌唱している顧客の生体認証を検出する手段と、
前記検出された生体認証に対応づけて前記検出した曲コードを対応づけて記録して収集する手段と
を備えたことを特徴とするカラオケシステム。
【００４９】
（付記２）
前記選択された曲の音声が送出されているときに、歌唱している顧客の生体認証を検出すると共に、更に、当該顧客の歌唱している時間あるいは曲の全時間に対する割合を検出して記録することを特徴とする付記１記載のカラオケシステム。
【００５０】
（付記３）
マイクあるいは曲の選択用のリモコンに、顧客の生体認証を検出する検出器を備えたことを特徴とする付記１あるいは付記２記載のカラオケシステム。
【００５１】
（付記４）
前記収集した生体認証に対応づけた曲コードの数、あるいは更に前記時間または前記割合を読み出し、これらをもとに、顧客毎の料金の割り勘計算を行なうことを特徴とする付記１から付記３のいずれかに記載のカラオケシステム。
【００５２】
（付記５）
複数人が歌唱するためのカラオケプログラムにおいて、
コンピュータに、
選択された曲のコードを検出する手段と、
前記選択された曲の音声が送出されているときに、歌唱している顧客の生体認証を検出する手段と、
前記検出された生体認証に対応づけて前記検出した曲コードを対応づけて記録して収集する手段と
として機能させるためのカラオケプログラム。
【産業上の利用可能性】
【００５３】
本発明は、カラオケでマイクを握ったりなどして歌唱した人の生体認証を検出し、当該生体認証に対応づけて曲コードおよび時間を収集して歌唱履歴データとして記録し、精算時に精算対象の歌唱履歴データ中の顧客毎の生体認証をもとに集計した曲数、更に時間数に応じた割り勘計算を行い、利用の実状に応じた割り勘を実現するカラオケシステムおよびカラオケプログラムに関するものである。
【図面の簡単な説明】
【００５４】
【図１】本発明のシステム構成図である。
【図２】本発明のテーブル例である。
【図３】本発明の動作説明フローチャートである。
【符号の説明】
【００５５】
１：情報収集システム
１１：曲データ
１２：曲データ選択手段
１３：生体情報受信手段
１４：歌唱時間算出手段
１５：記録手段
１６：個室ＩＤ
１７：歌唱履歴データテーブル
２：精算システム
２１：個室別歌唱履歴データ抽出手段
２２：歌唱履歴データテーブル
２３：精算手段
２４：歌唱履歴データ集計テーブル
２５：精算テーブル
２６：料金明細書
２７：利用料割り勘明細書
３：リモコン
４：マイク
５：顧客
【図１】
2008020752.tif 000003
【図２】
2008020752.tif 000004
【図３】
2008020752.tif 000005